【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
入力画像に対して、低域フィルタ及び高域フィルタを垂直方向及び水平方向に施してサブバンドを生成し、低域成分のサブバンドに対して階層的にフィルタリング処理を施すフィルタリング手段と、
上記フィルタリング手段によって生成されたサブバンドを分割し、所定の大きさの符号ブロックを生成する符号ブロック生成手段と、
上記符号ブロック単位に最上位ビットから最下位ビットに至るビットプレーンを生成するビットプレーン生成手段と、
符号化対象となる符号化対象数を予測して符号化対象数情報を生成する符号化対象予測手段と、
上記符号化対象予測手段によって生成された上記符号化対象のうち、各符号ブロックの最上位ビット側から上記符号化対象数情報で与えられる符号化対象についてのみ、符号化を行う符号化手段と
を備えることを特徴とする画像符号化装置。
【請求項２】
上記符号化対象数は、符号化対象となるビットプレーン数又は符号化パス数であることを特徴とする請求項１記載の画像符号化装置。
【請求項３】
上記符号化対象予測手段は、上記入力画像のフレーム内の全ての符号ブロックについてゼロビットプレーンを除く有効ビットプレーン数を計数し、当該計数結果に基づいて所定のテーブルを参照することで、フレーム毎に上記符号化対象となる上記符号化対象数を求めることを特徴とする請求項１記載の画像符号化装置。
【請求項４】
上記所定のテーブルは、有効ビットプレーンの値域と符号化対象となる上記符号化対象数とが対応付けられたものであることを特徴とする請求項３記載の画像符号化装置。
【請求項５】
上記符号化対象予測手段は、上記入力画像のサブバンド内の全ての符号ブロックについてゼロビットプレーンを除く有効ビットプレーン数を計数し、当該計数結果に基づいて所定のテーブルを参照することで、サブバンド毎に符号化対象となる上記符号化対象数を求めることを特徴とする請求項１記載の画像符号化装置。
【請求項６】
上記所定のテーブルは、有効ビットプレーンの値域と符号化対象となる上記符号化対象数とがサブバンド毎に対応付けられたものであることを特徴とする請求項５記載の画像符号化装置。
【請求項７】
上記入力画像がインタレース画像の場合、水平方向が低域で垂直方向が高域である分割レベルが最高域のサブバンドに対応する上記符号化対象数が０に設定されることを特徴とする請求項６記載の画像符号化装置。
【請求項８】
上記入力画像がインタレース画像の場合、水平方向が低域で垂直方向が高域である全ての分割レベルのサブバンドに対応する上記符号化対象数が０に設定されることを特徴とする請求項６記載の画像符号化装置。
【請求項９】
上記入力画像の全ての符号ブロックで最もビット位置の高い算術符号から上記最下位ビットの算術符号の順に、上記ビットプレーン毎に上記算出符号を加算し、所定の目標符号量を超えた場合に上記算出符号の加算を停止する符号量制御手段をさらに備えることを特徴とする請求項１記載の画像符号化装置。
【請求項１０】
上記符号量制御手段は、同じビット位置の算術符号については、最低域のサブバンドから最高域のサブバンドの順に上記算術符号を加算することを特徴とする請求項９記載の画像符号化装置。
【請求項１１】
上記符号量制御手段は、同じビット位置の算術符号については、輝度情報のコンポーネントから色差情報のコンポーネントの順に上記算術符号を加算することを特徴とする請求項９記載の画像符号化装置。
【請求項１２】
上記フィルタリング手段によって生成されたサブバンド内の変換係数を、上記サブバンド毎に設定された重み係数を用いて重み付けを行った量子化ステップサイズで除算して量子化する量子化手段をさらに備えることを特徴とする請求項１記載の画像符号化装置。
【請求項１３】
上記重み係数は、低域成分のサブバンドほど上記量子化ステップサイズが小さくなるように設定されていることを特徴とする請求項１２記載の画像符号化装置。
【請求項１４】
上記重み係数は、輝度情報のコンポーネントの方が色差情報のコンポーネントよりも上記量子化ステップサイズが小さくなるように設定されていることを特徴とする請求項１２記載の画像符号化装置。
【請求項１５】
上記符号量制御手段は、同じビット位置の算術符号については、最低域のサブバンドから最高域のサブバンドの順に上記算術符号を加算することを特徴とする請求項１２記載の画像符号化装置。
【請求項１６】
上記符号量制御手段は、同じビット位置の算術符号については、輝度情報のコンポーネントから色差情報のコンポーネントの順に上記算術符号を加算することを特徴とする請求項１２記載の画像符号化装置。
【請求項１７】
入力画像に対して、低域フィルタ及び高域フィルタを垂直方向及び水平方向に施してサブバンドを生成し、低域成分のサブバンドに対して階層的にフィルタリング処理を施すフィルタリング工程と、
上記フィルタリング工程にて生成されたサブバンドを分割し、所定の大きさの符号ブロックを生成する符号ブロック生成工程と、
上記符号ブロック単位に最上位ビットから最下位ビットに至るビットプレーンを生成するビットプレーン生成工程と、
符号化対象となる符号化対象数を予測して符号化対象数情報を生成する符号化対象予測工程と、
上記符号化対象予測工程にて生成された上記符号化対象のうち、各符号ブロックの最上位ビット側から上記符号化対象数情報で与えられる上記符号化対象数についてのみ、符号化を行う符号化工程と
を有することを特徴とする画像符号化方法。
【請求項１８】
所定の処理をコンピュータに実行させるプログラムにおいて、
入力画像に対して、低域フィルタ及び高域フィルタを垂直方向及び水平方向に施してサブバンドを生成し、低域成分のサブバンドに対して階層的にフィルタリング処理を施すフィルタリング工程と、
上記フィルタリング工程にて生成されたサブバンドを分割し、所定の大きさの符号ブロックを生成する符号ブロック生成工程と、
上記符号ブロック単位に最上位ビットから最下位ビットに至るビットプレーンを生成するビットプレーン生成工程と、
符号化対象となる符号化対象数を予測して符号化対象数情報を生成する符号化対象予測工程と、
上記符号化対象予測工程にて生成された上記符号化対象のうち、各符号ブロックの最上位ビット側から上記符号化対象数情報で与えられる符号化対象数についてのみ、符号化を行う符号化工程と
を有することを特徴とするプログラム。
【請求項１９】
所定の処理をコンピュータに実行させるプログラムが記録されたコンピュータ読み取り可能な記録媒体において、
入力画像に対して、低域フィルタ及び高域フィルタを垂直方向及び水平方向に施してサブバンドを生成し、低域成分のサブバンドに対して階層的にフィルタリング処理を施すフィルタリング工程と、
上記フィルタリング工程にて生成されたサブバンドを分割し、所定の大きさの符号ブロックを生成する符号ブロック生成工程と、
上記符号ブロック単位に最上位ビットから最下位ビットに至るビットプレーンを生成するビットプレーン生成工程と、
符号化対象となる符号化対象数を予測して符号化対象数情報を生成する符号化対象予測工程と、
上記符号化対象予測工程にて生成された上記符号化対象のうち、各符号ブロックの最上位ビット側から上記符号化対象数情報で与えられる符号化対象数についてのみ、符号化を行う符号化工程と
を有することを特徴とするプログラムが記録された記録媒体。
【手続補正２】
【補正対象書類名】明細書
【補正対象項目名】００１４
【補正方法】変更
【補正の内容】
【００１４】
上述した目的を達成するために、本発明に係る画像符号化装置及びその方法では、入力画像に対して、低域フィルタ及び高域フィルタを垂直方向及び水平方向に施してサブバンドを生成すると共に、低域成分のサブバンドに対して階層的にフィルタリング処理を施し、このフィルタリング処理によって生成されたサブバンドを分割して所定の大きさの符号ブロックを生成し、この符号ブロック単位に最上位ビットから最下位ビットに至るビットプレーンを生成する。そして、符号化対象となる符号化対象数を予測して符号化対象数情報を生成し、生成された符号化対象のうち、各符号ブロックの最上位ビット側から上記符号化対象数情報で与えられる符号化対象についてのみ、符号化を行う。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
このような画像符号化装置及びその方法では、符号化対象となる符号化対象数を予測して符号化対象数情報を生成し、符号化対象のうち、各符号ブロックの最上位ビット側から符号化対象数情報で与えられる符号化対象についてのみ符号化を行う。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２２
【補正方法】変更
【補正の内容】
【００２２】
本発明に係る画像符号化装置及びその方法によれば、符号化対象となる符号化対象数を予測して符号化対象数情報を生成し、符号化対象のうち、各符号ブロックの最上位ビット側から符号化対象数情報で与えられる符号化対象についてのみ符号化を行うことにより、符号化の処理負荷を軽減することができる。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】